(57)【要約】      （修正有）【課題】貯氷室の側壁にスコップホルダをネジで固定する製氷機において、ネジの操作頭部に対するスコップの接触に起因するネジの緩みを防止する。万一ネジが完全に緩んでしまった場合でも、ネジが氷の中に紛れ込むことを防止する。【解決手段】スコップホルダ１７は、貯氷室の側壁にネジ２０で締結固定される締結座２１を備える。締結座２１で受け止められるネジ２０の操作頭部２８の周囲を、これより高い包囲壁４２で囲む。ネジ２０の操作頭部２８から伸びるネジ軸２９を、基端側の小径の丸軸部３０と、先端側の大径の雄ネジ部３１とで構成する。スコップホルダ１７の締結座２１には、雄ネジ部３１をねじ込み可能な雌ネジ部３７を有する通孔３６を形成する。ネジ軸２９の丸軸部３０が通孔３６に臨む状態で、雄ネジ部３１を貯氷室の側壁にねじ込む。【選択図】図１
2019066103.tif 000002
【特許請求の範囲】
【請求項１】
氷を貯留する貯氷室（２）の側壁に、スコップ（９０）を支持するスコップホルダ（１７）が固定されており、
スコップホルダ（１７）は、貯氷室（２）の側壁にネジ（２０）で締結固定される締結座（２１）と、スコップ（９０）を着脱可能に支持する支持部（２２）とを備えており、
締結座（２１）で受け止められるネジ（２０）の操作頭部（２８）の周囲が、該操作頭部（２８）を超える高さの包囲壁（４２）で囲まれていることを特徴とする製氷機。
【請求項２】
ネジ（２０）の操作頭部（２８）から伸びるネジ軸（２９）が、基端側の小径の丸軸部（３０）と、先端側の大径の雄ネジ部（３１）とで構成されており、
スコップホルダ（１７）の締結座（２１）には、雄ネジ部（３１）をねじ込み可能な雌ネジ部（３７）を有する通孔（３６）が形成されており、
ネジ軸（２９）の丸軸部（３０）が通孔（３６）に臨む状態で、雄ネジ部（３１）が貯氷室（２）の側壁にねじ込まれている請求項１に記載の製氷機。
【請求項３】
スコップホルダ（１７）の支持部（２２）が、締結座（２１）の上端部から横向きに伸びる横壁（２３）と、横壁（２３）の上面から上向きに伸びる縦壁（２４）とを備えており、
横壁（２３）が包囲壁（４２）の上部を構成している請求項１または２に記載の製氷機。
【請求項４】
貯氷室（２）の側壁と横壁（２３）と縦壁（２４）とによって、上面と前後面が開口する収容溝（２５）が区画されており、
スコップ（９０）の側板（９６）を収容溝（２５）に差し込むことにより、スコップ（９０）をスコップホルダ（１７）で支持することが可能であり、
収容溝（２５）の底面が、前後中央から両端へ向かって下り傾斜している請求項３に記載の製氷機。
【請求項５】
縦壁（２４）が横壁（２３）の先端部から立設されている請求項４に記載の製氷機。
【請求項６】
スコップホルダ（１７）の締結座（２１）が、複数個のネジ（２０）で貯氷室（２）の側壁に締結固定されており、
各ネジ（２０）の操作頭部（２８）の周囲が包囲壁（４２）で個別に囲まれている請求項１から５のいずれかひとつに記載の製氷機。
【請求項７】
包囲壁（４２）の下端部に排水口（５２）が形成されている請求項１から６のいずれかひとつに記載の製氷機。
【発明の詳細な説明】
【技術分野】
【０００１】
本発明は、氷を貯留する貯氷室の側壁に、スコップを支持するスコップホルダが固定された製氷機に関する。
【背景技術】
【０００２】
この種の製氷機は、例えば非特許文献１に開示されている。そこでは、クランク状の縦断面を有するスコップホルダが、貯氷室の側壁に固定されている。具体的には、スコップホルダの下側の板状部分が、摘み付きのネジで貯氷室の側壁に締結固定されており、上側の板状部分と該側壁との間に、上面と前後面が開口する細長い収容溝が形成されている。この収容溝に対し、下向きにしたスコップの一方の側板を前方から差し込むことにより、スコップをスコップホルダに支持させて、貯氷室内に収納することができる。
【先行技術文献】
【非特許文献】
【０００３】
【非特許文献１】発明協会公開技報公技番号２０１０−５０５６８１号
【発明の概要】
【発明が解決しようとする課題】
【０００４】
非特許文献１の製氷機においては、スコップホルダを固定するネジの操作頭部（摘み）が貯氷室内に露出している。そのため、ユーザーがスコップで氷を掬い取る際などに、誤ってスコップが操作頭部に接触し、ネジが回る（緩む）ことがある。ネジが完全に緩んでしまうと、スコップホルダからネジが分離して、貯氷室内に貯留されている氷の上に落下してしまう。全てのネジが完全に緩んでしまった場合には、ネジだけでなくスコップホルダも落下してしまう。ここで、スコップホルダは氷よりも十分に大きいため、落下しても氷の中に紛れ込むことは無いが、小形のネジは氷の中に紛れ込み易く、氷と共に掬い取られるおそれがある。例えば飲食店において、店員が氷入りのカップ飲料を作製する際に、氷の中にネジが混入していることに気付かなければ、ネジを含むカップ飲料がそのまま客に提供されてしまい、大きな問題となる。
【０００５】
本発明の目的は、貯氷室の側壁にスコップホルダをネジで固定する製氷機において、ネジの操作頭部に対するスコップの接触に起因するネジの緩みを防止することにある。また本発明の目的は、万一ネジが完全に緩んでしまった場合でも、ネジが氷の中に紛れ込むことを防止することにある。
【課題を解決するための手段】
【０００６】
本発明は、氷を貯留する貯氷室２の側壁に、スコップ９０を支持するスコップホルダ１７が固定されている製氷機を対象とする。スコップホルダ１７は、貯氷室２の側壁にネジ２０で締結固定される締結座２１と、スコップ９０を着脱可能に支持する支持部２２とを備えている。締結座２１で受け止められるネジ２０の操作頭部２８の周囲が、該操作頭部２８を超える高さの包囲壁４２で囲まれていることを特徴とする。本発明において、ネジ２０の操作頭部２８の周囲を囲むとは、その全周を途切れることなく囲む形態だけでなく、その全周を断続的あるいは部分的に囲む形態も含むものとする。
【０００７】
ネジ２０の操作頭部２８から伸びるネジ軸２９を、基端側の小径の丸軸部３０と、先端側の大径の雄ネジ部３１とで構成する。スコップホルダ１７の締結座２１には、雄ネジ部３１をねじ込み可能な雌ネジ部３７を有する通孔３６を形成する。ネジ軸２９の丸軸部３０が通孔３６に臨む状態で、雄ネジ部３１を貯氷室２の側壁にねじ込むことができる。
【０００８】
スコップホルダ１７の支持部２２が、締結座２１の上端部から横向きに伸びる横壁２３と、横壁２３の上面から上向きに伸びる縦壁２４とを備えており、横壁２３が包囲壁４２の上部を構成している形態を採ることができる。
【０００９】
貯氷室２の側壁と横壁２３と縦壁２４とによって、上面と前後面が開口する収容溝２５を区画する。スコップ９０の側板９６を収容溝２５に差し込むことにより、スコップ９０をスコップホルダ１７で支持することが可能である。収容溝２５の底面を、前後中央から両端へ向かって下り傾斜させることができる。
【００１０】
縦壁２４を横壁２３の先端部から立設することができる。
【００１１】
スコップホルダ１７の締結座２１を、複数個のネジ２０で貯氷室２の側壁に締結固定して、各ネジ２０の操作頭部２８の周囲を包囲壁４２で個別に囲むことができる。
【００１２】
包囲壁４２の下端部に排水口５２を形成することができる。
【発明の効果】
【００１３】
本発明に係る製氷機では、スコップホルダ１７の締結座２１で受け止められるネジ２０の操作頭部２８の周囲を、これより高い包囲壁４２で囲むものとした。これによれば、ユーザーがスコップ９０で氷を掬い取る際などに、ネジ２０の操作頭部２８に対するスコップ９０の接触を防止して、当該接触に起因するネジ２０の緩みを防止することができる。従って、ネジ２０が完全に緩んでスコップホルダ１７から分離することや、スコップホルダ１７が貯氷室２の側壁から分離して落下することを的確に防止できる。
【００１４】
スコップホルダ１７の締結座２１に形成される通孔３６が、ネジ２０の雄ネジ部３１をねじ込み可能な雌ネジ部３７を有する形態を採ることができる。これによれば、製氷機の各部から生じる振動（冷凍機の駆動による振動、貯氷室２の扉の開閉による振動など）の影響などにより、一部のネジ２０が完全に緩み、雄ネジ部３１が貯氷室２の側壁から分離した場合でも、雄ネジ部３１が雌ネジ部３７で受け止められる。雄ネジ部３１を雌ネジ部３７に沿って緩めない限りは、ネジ２０がスコップホルダ１７から分離して落下することはない。また、全てのネジ２０が完全に緩んでしまった場合でも、スコップホルダ１７とネジ２０が一体に落下する。このように、本発明によれば、ネジ２０が単独で落下して、貯氷室２内の氷の中に紛れ込むことを確実に防止できる。
【００１５】
スコップホルダ１７の支持部２２の横壁２３が、ネジ２０の操作頭部２８を囲む包囲壁４２の上部を構成していると、包囲壁４２の上部を構成する壁を横壁２３とは別に形成する場合に比べて、スコップホルダ１７の形状を簡素化して、その製造コストを削減することができる。
【００１６】
収容溝２５の底面を前後中央から両端へ向かって下り傾斜させると、スコップ９０に付着した水滴が収容溝２５の底面に滴下しても、その前端または後端へ向かって流れ落ちるため、収容溝２５の底面に水滴が溜まり難く衛生的である。
【００１７】
横壁２３の先端部から縦壁２４を立設すると、貯氷室２の側壁と縦壁２４の対向間隔、すなわち収容溝２５の左右方向の幅寸法を大きく確保して、収容溝２５に対するスコップ９０の側板９６の差し込みを容易にすることができる。また、収容溝２５の幅寸法を大きく確保すると、タオルなどを巻いた指先を収容溝２５に挿入して、その表面の水滴や汚れを拭き取ることができる。貯氷室２の側壁からスコップホルダ１７を一旦取り外さなくても、同ホルダ１７を簡単に清掃できる。
【００１８】
スコップホルダ１７を複数個のネジ２０で固定し、各ネジ２０の操作頭部２８の周囲を包囲壁４２で個別に囲むと、複数個の操作頭部２８を１つの包囲壁４２でまとめて囲む場合に比べて、包囲壁４２で囲まれる空間すなわち操作頭部２８を収容する空間の開口面積を小さくすることができる。これにより、スコップ９０が当該空間の内側へ侵入し難くなるので、操作頭部２８へのスコップ９０の接触と、当該接触に起因するネジ２０の緩みをより的確に防止できる。
【００１９】
包囲壁４２の下端部に排水口５２を形成すると、操作頭部２８の周囲の包囲壁４２や締結座２１に付着した氷片や水滴を、排水口５２から包囲壁４２の外方へ落下させることができる。これにより、包囲壁４２の内側に水滴が溜まり難く衛生的である。
【図面の簡単な説明】
【００２０】
【図１】本発明の実施例に係るセル型製氷機のスコップホルダの横断平面図であり、図３におけるＡ−Ａ線断面図である。
【図２】セル型製氷機の内部の概略構成を示す縦断正面図である。
【図３】スコップホルダの縦断正面図である。
【図４】図３におけるＢ−Ｂ線断面図である。
【図５】スコップホルダの斜視図である。
【発明を実施するための形態】
【００２１】
（実施例）  図１から図５に、本発明をセル型製氷機に適用した実施例を示す。本実施例における前後、左右、上下とは、図１および図２に示す交差矢印と、各矢印の近傍に表記した前後、左右、上下の表示に従う。図２に示すように、本実施例に係るセル型製氷機では、断熱壁１で囲まれる貯氷室２の上部に、氷を製造する製氷ユニット３が配置される。製氷ユニット３で製造された氷は下方に落下して、貯氷室２の下部に堆積する。なお本発明は、製氷ユニット３が貯氷室２の外部に配置されるオーガ式製氷機などにも適用することができる。
【００２２】
製氷ユニット３は従来公知の構成からなり、下向きに開口する一群のセルを有する製氷ケース４と、一群の製氷用水の噴射口を有する給水トレー５と、製氷用水を貯留する給水タンク６などで構成される。製氷工程では、不図示の冷凍機から供給される低温低圧の冷媒液によって、製氷ケース４が氷結温度まで冷却される。さらに、給水タンク６の下部に設けたポンプユニット７が駆動して、給水トレー５の各噴射口から製氷ケース４の各セルへ向かって製氷用水が噴射される。これにより、各セル内で製氷用水が氷結して氷が形成される。
【００２３】
製氷が完了すると、各セル内から氷を分離させるために製氷ケース４が加熱される。さらに、給水トレー５と給水タンク６が支軸９のまわりに揺動操作されて、製氷ケース４の下面から離れて右方へ下り傾斜する離氷姿勢となる。給水トレー５と給水タンク６を揺動操作するトレー操作機構１０は、正逆転可能なモーター１１と、モーター１１で往復傾動操作される前後一対の駆動アーム１２と、給水トレー５と駆動アーム１２の間に掛止される引張り型のコイルばね１３などで構成される。セル内で加熱されて表面が融けた氷は、セルから落下して給水トレー５上を滑り落ち、同トレー５の右端（揺動端）から貯氷室２の底部へ向かって落下する。
【００２４】
製氷ユニット３の下方には、離氷姿勢の給水タンク６からの排水を受ける排水パン１６が配置されており、排水パン１６の下方における貯氷室２の左壁に、スコップ９０を支持するスコップホルダ１７が固定されている。貯氷室２の前壁には、断熱扉で開閉される氷の取出口１８が形成されており、この取出口１８に臨む位置にスコップホルダ１７は配置される。そのため、この製氷機を初めて利用するユーザーであっても、取出口１８を開放してすぐに、スコップホルダ１７で支持されるスコップ９０を見付けることができる。
【００２５】
図２においてスコップ９０は、氷受け部９１と把手９２を一体に備えるプラスチック成形品からなる。氷受け部９１は、断面逆へ字状の底板９３と、底板９３の前縁から立設された前板９４と、底板９３の左右縁から立設された左右一対の側板９５・９６とで形成されている。把手９２は、氷受け部９１の前板９４の外面から前方へ伸びている。このスコップ９０をスコップホルダ１７に支持させるには、氷受け部９１の開口が下向きになるように上下反転させて、氷受け部９１の一方の側板９６を、スコップホルダ１７と貯氷室２の壁面との間に前方から差し込む。ここで、一方の側板９６とは、氷受け部９１の開口が上を向く使用姿勢における右側の側板９６のことである。
【００２６】
図３においてスコップホルダ１７は、クランク状の縦断面を有するプラスチック成形品からなり、貯氷室２の左壁に固定される下側の締結座２１と、スコップ９０を支持する上側の支持部２２とを一体に備えている。締結座２１は、上下寸法よりも前後寸法が大きい垂直板からなり、前後一対のネジ２０で締結固定される（図４参照）。支持部２２は、締結座２１の上端部から右方（横向き）に伸びる横壁２３と、横壁２３の右端部（先端部）から上方へ伸びる縦壁２４とで構成される。これら横壁２３および縦壁２４と貯氷室２の左壁とによって、上面と前後面が開口する収容溝２５が区画されている。この収容溝２５にスコップ９０の側板９６を差し込むことにより、スコップ９０をスコップホルダ１７で支持することができる。
【００２７】
横壁２３の左右方向の幅寸法Ｗ１は、スコップホルダ１７の全体の左右寸法に一致している。このように横壁２３を広幅に形成し、さらに横壁２３の右端部から縦壁２４を立設すると、貯氷室２の左壁と縦壁２４の対向間隔、すなわち収容溝２５の左右方向の幅寸法Ｗ２を大きく確保することができる。本実施例では、横壁２３（スコップホルダ１７）の幅寸法Ｗ１を２４ｍｍに設定し、収容溝２５の幅寸法Ｗ２を１８ｍｍに設定した。
【００２８】
収容溝２５の幅寸法Ｗ２は、スコップ９０の側板９６の厚みよりも十分に大きいため、収容溝２５に対して側板９６を容易に差し込むことができる。また、収容溝２５の幅寸法Ｗ２は、平均的な人の指の太さよりも大きいため、タオルなどを巻いた指先を収容溝２５に挿入して、その表面の水滴や汚れを拭き取ることができる。縦壁２４の上部は外向きに傾斜しているため、収容溝２５に対して上方から指先を容易に挿入することができる。図４において収容溝２５の底面（横壁２３の上面）は、その前後中央から両端へ向かってそれぞれ下り傾斜しており、その傾斜角度は１°である。この傾斜によれば、スコップ９０に付着した水滴が収容溝２５の底面に滴下しても、その前端または後端へ向かって流れ落ちるため、収容溝２５の底面に水滴が溜まり難く衛生的である。
【００２９】
図１においてネジ２０は、合成樹脂製の操作頭部２８を有する化粧ネジからなり、操作頭部２８から伸びる金属製のネジ軸２９は、基端側の小径の丸軸部３０と、先端側の大径の雄ネジ部３１とで構成されている。貯氷室２の左壁におけるスコップホルダ１７の取付個所では、断熱壁１を構成する金属製の内箱３３の外面側（貯氷室２の反対側）に、金属製の補強板３５が取り付けられており、この補強板３５には、雄ネジ部３１をねじ込み可能な前後一対のネジ孔３２が形成されている。内箱３３には、ネジ孔３２に臨む開口３４が形成されている。スコップホルダ１７の締結座２１には、ネジ２０用の前後一対の通孔３６が形成されており、これら通孔３６の周面には、その軸方向の全長にわたって、雄ネジ部３１をねじ込み可能な雌ネジ部３７が形成されている。
【００３０】
ネジ２０の操作頭部２８を受け止める締結座２１の締結面４１には、操作頭部２８の周囲を囲む包囲壁４２が形成されている。図４および図５において包囲壁４２は、スコップ９０の支持部２２を兼ねる横壁２３と、横壁２３の前後端および前後中央から下向きに伸びる前後壁４３・４４および中央壁４５とで構成される。前後壁４３・４４と中央壁４５はそれぞれ、前後幅が一定である上側の垂直部４６・４７・４８と、下方へ行くに従って前後幅が大きくなる下側の拡幅部４９・５０・５１とで構成される。また、前後壁４３・４４と中央壁４５は、締結面４１からの突出寸法が下方へ行くに従って徐々に小さくなっている。中央壁４５が締結面４１に直交するのに対し、前壁４３と後壁４４の横断面は楔状に形成されている（図１参照）。これに伴い、前壁４３の前面と後壁４４の後面は、貯氷室２の左壁から離れるほど、スコップホルダ１７の前後中央へ近付く方向に傾斜している。
【００３１】
前側のネジ２０の操作頭部２８は、横壁２３と前壁４３と中央壁４５によって、上方と前方と後方の三方を囲まれており、後側のネジ２０の操作頭部２８は、横壁２３と中央壁４５と後壁４４によって、上方と前方と後方の三方を囲まれている。これら包囲壁４２（横壁２３・前壁４３・後壁４４・中央壁４５）の締結面４１からの突出寸法は、操作頭部２８の軸方向（左右方向）の高さ寸法よりも大きく設定されている。このように、操作頭部２８の周囲を、これより高い包囲壁４２で囲むと、ユーザーが貯氷室２内の氷をスコップ９０で掬い取る際に、誤ってスコップ９０がスコップホルダ１７の締結座２１へ向かって来ても、スコップ９０が操作頭部２８の周囲に接触する前に、包囲壁４２でスコップ９０を受け止めることができる。これにより、操作頭部２８の周囲へのスコップ９０の接触と、当該接触に起因するネジ２０の緩みを防止することができる。
【００３２】
なお、操作頭部２８の右面すなわち操作面は包囲壁４２で囲まれていないため、スコップ９０の角部分などが操作面に接触することはあるが、操作面への接触でネジ２０が回る（緩む）ことは殆どない。また、前後壁４３・４４と中央壁４５の締結面４１からの突出寸法は、下方へ行くに従って徐々に小さくなっているが、少なくとも操作頭部２８の下端よりも上側においては、各壁４３・４４・４５の突出寸法が操作頭部２８の高さ寸法よりも大きく設定されている（図３参照）。そのため、操作頭部２８の下方からスコップ９０が向かって来ても、スコップ９０の角部分が上を向くような場合を除いて、スコップ９０が操作頭部２８の下部周囲に接触する前に、各壁４３・４４・４５の突端面でスコップ９０を受け止めることができる。従って、スコップ９０が操作頭部２８の下部周囲に接触することは非常に稀である。各壁４３・４４・４５の拡幅部４９・５０・５１は、垂直部４６・４７・４８に比べて突出寸法は小さいが、その代わりに前後幅が大きく、操作頭部２８の真下へ向かって張り出しているため、スコップ９０の操作頭部２８への接触防止に関して高い効果を発揮する。
【００３３】
前壁４３と中央壁４５の拡幅部４９・５１の下端部の間、および、中央壁４５と後壁４４の拡幅部５１・５０の下端部の間には、それぞれ排水口５２が形成されている。操作頭部２８の周囲の包囲壁４２や締結座２１に付着した氷片や水滴は、これらの排水口５２を介して包囲壁４２の外方へ落下するので、包囲壁４２の内側に水滴が溜まり難く衛生的である。また、スコップホルダ１７の締結面４１に正対する側面視において、各ネジ２０の操作頭部２８と、その周囲を囲む包囲壁４２との間には、操作頭部２８の外径と同程度の幅の空間が形成されている。そのため、タオルなどを巻いた指先を当該空間に挿入して、操作頭部２８の表面やその周囲に付着した水滴や汚れを容易に拭き取ることができる。
【００３４】
本実施例では、前壁４３の前面と後壁４４の後面、および、拡幅部４９・５０・５１の右面（突端面）などを傾斜面で形成した。これによれば、ユーザーが氷を掬い取る際に、スコップ９０がスコップホルダ１７に引っ掛かることを効果的に防止できる。さらに、スコップホルダ１７の外面の複数個所を傾斜面で形成すると、スコップホルダ１７の全体がユーザーに与える印象を柔らかなものにすることができる（図５参照）。
【００３５】
貯氷室２の左壁に対するスコップホルダ１７の取り付けは以下の手順で行う。まず、２個のネジ２０をスコップホルダ１７に連結する。すなわち、各ネジ２０のネジ軸２９を、締結座２１の締結面４１の側から通孔３６にねじ込む。このねじ込みは、ネジ軸２９の雄ネジ部３１が通孔３６の雌ネジ部３７を通過して、締結面４１の裏面から突出するまで行う。雄ネジ部３１の通過後に通孔３６内に位置する丸軸部３０は、通孔３６よりも軸方向に長くかつ小径である。そのため、上記連結作業の後の各ネジ２０は、同ホルダ１７から分離不能であるが、同ホルダ１７に対して軸方向に相対スライド可能である。
【００３６】
次いで、２個のネジ２０を連結したスコップホルダ１７を、貯氷室２の左壁の取付個所へ移動させ、締結座２１の裏面から突出する各ネジ２０の雄ネジ部３１を、内箱３３に形成された開口３４を介して、補強板３５に形成されたネジ孔３２にねじ込む。操作頭部２８が締結面４１に密着するまで各ネジ２０をねじ込むと、締結座２１が貯氷室２の左壁に締結固定されて、スコップホルダ１７の取り付けが完了する。
【００３７】
上記のように本実施例では、各ネジ２０の操作頭部２８の周囲を包囲壁４２で囲むことにより、操作頭部２８の周囲へのスコップ９０の接触と、当該接触に起因するネジ２０の緩みを防止することができる。万一、製氷機の各部から生じる振動（冷凍機の駆動による振動、貯氷室２の扉の開閉による振動など）の影響などにより、一方のネジ２０が完全に緩み、雄ネジ部３１が貯氷室２の左壁から分離した場合でも、雄ネジ部３１が雌ネジ部３７で受け止められる。雄ネジ部３１を雌ネジ部３７に沿って緩めない限りは、ネジ２０がスコップホルダ１７から分離して落下することはない。また、両方のネジ２０が完全に緩んでしまった場合でも、スコップホルダ１７とネジ２０が一体に落下する。このように、本実施例によれば、ネジ２０が単独で落下して、貯氷室２内の氷の中に紛れ込むことを確実に防止できる。
【００３８】
本実施例に係る製氷機では、貯氷室２の右側に片寄って氷が堆積するため、氷が最も堆積し難い貯氷室２の左端部にスコップホルダ１７を配置したが、場合によっては貯氷室２の右壁にスコップホルダ１７を固定してもよい。本実施例のスコップホルダ１７は前後対称であるため、左右反転させれば右壁に固定することができ、さらに上記の実施例と同一の方法で使用することができる。ただし、スコップ９０の収納状態においては、上記の実施例とは反対側の側板９５が収容溝２５に差し込まれる。
【００３９】
包囲壁４２の形状は上記の実施例で示したものに限られず、例えば円筒状や多角形筒状などに形成してもよい。操作頭部２８の周囲を断続的に囲む壁で包囲壁４２を構成してもよい。締結座２１の通孔３６の軸方向の全長にわたって雌ネジ部３７を形成する必要は無く、通孔３６の軸方向の一部のみに雌ネジ部３７を形成してもよい。
【符号の説明】
【００４０】
２  貯氷室
１７  スコップホルダ
２１  締結座
２２  支持部
２３  横壁
２４  縦壁
２５  収容溝
２８  操作頭部
２９  ネジ軸
３０  丸軸部
３１  雄ネジ部
３６  通孔
３７  雌ネジ部
４２  包囲壁
５２  排水口
９０  スコップ
【図１】
2019066103.tif 000003
【図２】
2019066103.tif 000004
【図３】
2019066103.tif 000005
【図４】
2019066103.tif 000006
【図５】
2019066103.tif 000007